(57)【特許請求の範囲】
【請求項１】
腕輪を含み、前記腕輪の中には環孔が前後貫通するように設置され、前記腕輪は弾性を有し、前記腕輪の内部において前記環孔の左側には開口が設置され、
前記腕輪の左側の外端面には調節装置が連結され、前記調節装置で前記腕輪と腕との間の圧力を調節でき、前記腕輪の右側の外端面には監視装置が連結され、前記監視装置は前記腕輪と腕との間の圧力ならびに人体の心拍数及び血圧を監視でき、前記監視装置の右端には警報灯が連結され、前記警報灯は前記監視装置に通電可能に連結され、
前記環孔の上下両側内壁の中には按摩装置が対称的に設置され、前記按摩装置は腕に当接し、かつ腕に対して繰り返し按摩でき、
前記監視装置は前記腕輪の右側の外端面に固定的に連結された殻体を含み、前記警報灯は前記殻体の右端に固定的に連結され、
前記殻体の中には左方に開口した測定空間が設置され、前記腕輪の中にはガイド孔が設置され、前記ガイド孔は前記環孔と前記測定空間に連通し、前記ガイド孔と前記測定空間との間には振動棒がスライド可能に設置され、前記振動棒の左端は前記環孔の中に延在し、前記振動棒の左端には圧力検出ヘッドが固定的に連結され、
前記測定空間の上下両側内壁の中には監視検出ヘッドが対称的に、且つ固定的に設置され、前記振動棒の上下両端面の中には感応スライダが固定的に設置され、前記測定空間の上下両側内壁の間には弾性膜が固定的に連結され、前記振動棒の右端が前記弾性膜に固定的に連結され、前記測定空間の右側内壁には接触スイッチが固定的に連結されており、
腕の脈拍部の拍動は前記振動棒を押して振動させ、さらに前記感応スライダを駆動してスライドさせ、そして前記監視検出ヘッドによって前記感応スライダの振動頻度を測定し、人の心拍数を反映し、前記振動棒が前記接触スイッチと接触するときに、人の血圧が比較的に高いことを意味し、この時に前記警報灯をつけて警報を発し、これ以上運動しないように注意することを特徴とする運動状態での人体血圧に対する監視警報装置。
【請求項２】
前記調節装置は前記腕輪の左側の外端面に固定的に連結された固定ブロックとコンロッドとを含み、前記固定ブロックは前記開口の上側に位置し、前記コンロッドは前記開口の下側に位置し、
前記コンロッドの中には、上下に貫通し、かつ開口が背向いている貫通溝が前後対称的に形成され、前記貫通溝の中には回転棒が回転可能に設置され、前記回転棒の中には連結軸が固定的に連結され、前記連結軸の左右両端は前記貫通溝の左右両側内壁の間に回転可能に連結され、
前記固定ブロックの中には開口が背向いている三つの引掛り溝が前後対称的に形成され、前記引掛り溝の下側内壁の中には回収空間が連通するように設置され、前記回収空間の中には引掛りブロックがスライド可能に設置され、前記引掛りブロックの上端は前記引掛り溝の中に滑り込むことができ、前記引掛りブロックの下端と前記回収空間の下側内壁との間には電磁ばねが固定的に連結され、前記回転棒の中には開口が対称中心に向いている引掛り孔が設置されていることを特徴とする請求項１に記載の運動状態での人体血圧に対する監視警報装置。
【請求項３】
前記回転棒の左右両端と前記貫通溝の左右両側内壁との間には捻りばねが固定的に連結されていることを特徴とする請求項２に記載の運動状態での人体血圧に対する監視警報装置。
【請求項４】
前記固定ブロックの中には左方に開口したばね溝が形成され、前記ばね溝の右側内壁の中には凹溝が連通するように形成され、前記ばね溝の中には手動ポタンがスライド可能に設置され、前記手動ポタンの右端は前記凹溝の中に延在し、前記手動ポタンの右端と前記ばね溝の右側内壁との間には圧縮ばねが固定的に連結され、前記凹溝の右側内壁には導電ブロックが固定的に設置されていることを特徴とする請求項２に記載の運動状態での人体血圧に対する監視警報装置。
【請求項５】
前記按摩装置はベルト溝を含み、前記ベルト溝は前記環孔の上下両側内壁の中に上下対称的に、且つ連通するように形成され、前記ベルト溝の中には二十三個のプーリが回転可能に設置され、前記プーリの間には連結ベルトが連結され、
最右側の前記プーリの中には駆動軸が固定的に連結され、前記ベルト溝の後側内壁の中にはモータが固定的に設置され、両側の前記駆動軸の後端はそれぞれ両側の前記モータに伝動可能に連結され、
他の前記プーリの中には支持軸が固定的に連結され、前記支持軸の前後両端が前記ベルト溝の前後両側内壁に回転可能に連結され、前記連結ベルトにおいて対称中心に近接する一端には九つの按摩綿が固定的に連結されていることを特徴とする請求項１に記載の運動状態での人体血圧に対する監視警報装置。
【発明の詳細な説明】
【技術分野】
【０００１】
本願発明は監視分野を取り上げて、具体的には運動状態での人体血圧に対する監視警報装置である。
【背景技術】
【０００２】
血圧とは心臓から血液が押し出されるとき、血管内に生ずる圧のことを指す。血圧は血液が血管内で流れる動力として、心臓機能と末梢血管抵抗とを判断できる。現社会において、多くの人々は、運動やフィットネスに参加し、特に筋力トレーニングをする時に人間の心拍数と血圧は急速に上昇し、心拍数と血圧とが比較的に高い場合、人は失神したり、ショック状態になったりして命を脅かす恐れがあり、従来の血圧計は人が落ち着いた状態でしか血圧を測ることができなく、運動状態での心拍数と血圧状況とをタイムリーに反映できず、本願発明は運動状態での人体血圧に対する監視警報装置を開示し、上記の問題を解決できる。
【先行技術文献】
【特許文献】
【０００３】
【特許文献１】中国特許出願公開第１０６９４３１３４号明細書
【発明の概要】
【発明が解決しようとする課題】
【０００４】
従来の血圧計は人が落ち着いた状態でしか血圧を測ることができなく、運動状態での血圧状況を測ることができない。
【課題を解決するための手段】
【０００５】
上記の問題を解決するために、本例は運動状態での人体血圧に対する監視警報装置を設計し、本願発明の記載の運動状態での人体血圧に対する監視警報装置は、腕輪を含み、前記腕輪の中には環孔が前後貫通するように設置され、前記腕輪は弾性を有し、前記腕輪の内部において前記環孔の左側には開口が設置され、使用時に腕は前記環孔を通って前記腕輪を腕にはめ、前記腕輪の左側の外端面には調節装置が連結され、前記調節装置で前記腕輪と腕との間の圧力を調節でき、前記腕輪の右側の外端面には監視装置が連結され、前記監視装置は前記腕輪と腕との間の圧力ならびに人体の心拍数及び血圧を監視でき、前記監視装置の右端には警報灯が連結され、前記警報灯は前記監視装置に通電可能に連結され、前記監視装置は人体の血圧が比較的に高いことを検知すると前記警報灯で警報を発し、前記環孔の上下両側内壁の中には按摩装置が対称的に設置され、前記按摩装置は腕に当接し、かつ腕に対して繰り返し按摩でき、前記監視装置は前記腕輪の右側の外端面に固定的に連結された殻体を含み、前記警報灯は前記殻体の右端に固定的に連結され、前記殻体の中には左方に開口した測定空間が設置され、前記腕輪の中にはガイド孔が設置され、前記ガイド孔は前記環孔と前記測定空間に連通し、前記ガイド孔と前記測定空間との間には振動棒がスライド可能に設置され、前記振動棒の左端は前記環孔の中に延在し、前記振動棒の左端には圧力検出ヘッドが固定的に連結され、前記圧力検出ヘッドは腕の脈拍部に当接し、且つ前記圧力検出ヘッドと腕との間の圧力を監視し、前記測定空間の上下両側内壁の中には監視検出ヘッドが対称的に、且つ固定的に設置され、前記振動棒の上下両端面の中には感応スライダが固定的に設置され、前記監視検出ヘッドは前記感応スライダの振動頻度を監視することで、人の心拍数を反映し、前記測定空間の上下両側内壁の間には弾性膜が固定的に連結され、前記振動棒の右端が前記弾性膜に固定的に連結され、前記測定空間の右側内壁には接触スイッチが固定的に連結され、前記振動棒と前記接触スイッチとが接触するとき、人の血圧が比較的に高いことを意味し、この時に前記警報灯をつけて警報を発し、これ以上運動しないように注意する。
【０００６】
有益的には、前記調節装置は前記腕輪の左側の外端面に固定的に連結された固定ブロックとコンロッドとを含み、前記固定ブロックは前記開口の上側に位置し、前記コンロッドは前記開口の下側に位置し、前記環孔を押して前記開口を収縮させ、そして前記コンロッドと前記固定ブロックとは互いに近づき、前記コンロッドの中には、上下に貫通し、かつ開口が背向いている貫通溝が前後対称的に形成され、前記貫通溝の中には回転棒が回転可能に設置され、前記回転棒の中には連結軸が固定的に連結され、前記連結軸の左右両端は前記貫通溝の左右両側内壁の間に回転可能に連結され、前記固定ブロックの中には開口が背向いている三つの引掛り溝が前後対称的に形成され、前記引掛り溝の下側内壁の中には回収空間が連通するように設置され、前記回収空間の中には引掛りブロックがスライド可能に設置され、前記引掛りブロックの上端は前記引掛り溝の中に滑り込むことができ、前記引掛りブロックの下端と前記回収空間の下側内壁との間には電磁ばねが固定的に連結され、前記回転棒の中には開口が対称中心に向いている引掛り孔が設置され、前記回転棒は回転して前記引掛り溝の中に延在でき、前記引掛りブロックを押して下方へスライドさせ、また、前記電磁ばねを圧縮し、前記引掛りブロックは前記引掛り孔と正対する時、前記電磁ばねの弾力の作用のもとで前記引掛りブロックは押されて前記引掛り孔の中に滑り込み、そして前記回転棒を固定し、人の腕は比較的に太い場合、前記回転棒は最下側の前記引掛り溝の中に伸び、この時に前記腕輪は緩み状態にあり、人の腕は比較的に細い場合、前記回転棒は最上側の前記引掛り溝の中に伸び、この時に前記腕輪はきつめの状態にある。
【０００７】
好ましくは、前記回転棒の左右両端と前記貫通溝の左右両側内壁との間には捻りばねが固定的に連結され、前記捻りばねの弾力の作用のもとで前記回転棒は回転して前記固定ブロックから離脱する。
【０００８】
好ましくは、前記固定ブロックの中には左方に開口したばね溝が形成され、前記ばね溝の右側内壁の中には凹溝が連通するように形成され、前記ばね溝の中には手動ポタンがスライド可能に設置され、前記手動ポタンの右端は前記凹溝の中に延在し、前記手動ポタンの右端と前記ばね溝の右側内壁との間には圧縮ばねが固定的に連結され、前記凹溝の右側内壁には導電ブロックが固定的に設置され、
始めに、前記手動ポタンと前記導電ブロックとは接触していなく、前記手動ポタンを押し、かつ前記圧縮ばねを圧縮し、同時に前記手動ポタンと前記導電ブロックとは接触するようになり、そして前記電磁ばねは通電され、前記引掛りブロックは駆動されて前記回収空間の中に滑り込み、前記回転棒と前記引掛りブロックとを離脱させる。
【０００９】
有益的には、前記按摩装置はベルト溝を含み、前記ベルト溝は前記環孔の上下両側内壁の中に上下対称的に、且つ連通するように形成され、前記ベルト溝の中には二十三個のプーリが回転可能に設置され、前記プーリの間には連結ベルトが連結され、最右側の前記プーリの中には駆動軸が固定的に連結され、前記ベルト溝の後側内壁の中にはモータが固定的に設置され、両側の前記駆動軸の後端はそれぞれ両側の前記モータに伝動可能に連結され、他の前記プーリの中には支持軸が固定的に連結され、前記支持軸の前後両端が前記ベルト溝の前後両側内壁に回転可能に連結され、前記連結ベルトにおいて対称中心に近接する一端には九つの按摩綿が固定的に連結され、
腕が前記環孔を通る時、前記按摩綿は腕に当接し、前記監視検出ヘッドは前記感応スライダが振動し始めることを検知すると、前記モータを作動させ、さらに前記駆動軸を通じて最右側の前記プーリを駆動して回転させ、前記連結ベルトを通じて他の前記プーリを駆動して回転させ、さらに前記按摩綿が腕を按摩し、九つの前記按摩綿はちょうど完全に前記ベルト溝の中に回転した時、前記モータを逆回転させ、そして前記按摩綿に逆方向へ腕を按摩させ、腕の麻痺を避ける。
【発明の効果】
【００１０】
本願発明の有益効果は：本願発明は運動時に直接手にはめられ、腕のサイズによって調節を行い、腕輪と腕との間に一定の圧力を保ち、また、リアルタイムに人の血圧と心拍数とを監視でき、同時に腕に対してマッサージをし、腕輪と腕とが長時間押し合うことによる麻痺を避ける。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本願発明の運動状態での人体血圧に対する監視警報装置の全体構成模式図
【図２】図２は図１のＡの拡大模式図
【図３】図３は図１のＢの拡大模式図
【図４】図４は図２のＣ―Ｃ方向からの構成模式図
【図５】図５は図３のＤ―Ｄ方向からの構成模式図
【発明を実施するための形態】
【００１３】
本願発明の記載の運動状態での人体血圧に対する監視警報装置は、腕輪１２を含み、前記腕輪１２の中には環孔１１が前後貫通するように設置され、前記腕輪１２は弾性を有し、前記腕輪１２の内部において前記環孔１１の左側には開口４５が設置され、使用時に腕は前記環孔１１を通って前記腕輪１２を腕にはめ、前記腕輪１２の左側の外端面には調節装置１００が連結され、前記調節装置１００で前記腕輪１２と腕との間の圧力を調節でき、前記腕輪１２の右側の外端面には監視装置１０２が連結され、前記監視装置１０２は前記腕輪１２と腕との間の圧力ならびに人体の心拍数及び血圧を監視でき、前記監視装置１０２の右端には警報灯３４が連結され、前記警報灯３４は前記監視装置１０２に通電可能に連結され、前記監視装置１０２は人体の血圧が比較的に高いことを検知すると前記警報灯３４で警報を発し、前記環孔１１の上下両側内壁の中には按摩装置１０１が対称的に設置され、前記按摩装置１０１は腕に当接し、かつ腕に対して繰り返し按摩でき、前記監視装置１０２は前記腕輪１２の右側の外端面に固定的に連結された殻体４６を含み、前記警報灯３４は前記殻体４６の右端に固定的に連結され、前記殻体４６の中には左方に開口した測定空間３２が設置され、前記腕輪１２の中にはガイド孔３８が設置され、前記ガイド孔３８は前記環孔１１と前記測定空間３２に連通し、前記ガイド孔３８と前記測定空間３２との間には振動棒２５がスライド可能に設置され、前記振動棒２５の左端は前記環孔１１の中に延在し、前記振動棒２５の左端には圧力検出ヘッド２４が固定的に連結され、前記圧力検出ヘッド２４は腕の脈拍部に当接し、且つ前記圧力検出ヘッド２４と腕との間の圧力を監視し、前記測定空間３２の上下両側内壁の中には監視検出ヘッド３７が対称的に、且つ固定的に設置され、前記振動棒２５の上下両端面の中には感応スライダ３６が固定的に設置され、前記監視検出ヘッド３７は前記感応スライダ３６の振動頻度を監視することで、人の心拍数を反映し、前記測定空間３２の上下両側内壁の間には弾性膜３３が固定的に連結され、前記振動棒２５の右端が前記弾性膜３３に固定的に連結され、前記測定空間３２の右側内壁には接触スイッチ３５が固定的に連結され、前記振動棒２５と前記接触スイッチ３５とが接触するとき、人の血圧が比較的に高いことを意味し、この時に前記警報灯３４をつけて警報を発し、これ以上運動しないように注意する。
【００１４】
実施例によって、以下に前記調節装置１００について詳しく説明し、前記調節装置１００は前記腕輪１２の左側の外端面に固定的に連結された固定ブロック１３とコンロッド２０とを含み、前記固定ブロック１３は前記開口４５の上側に位置し、前記コンロッド２０は前記開口４５の下側に位置し、前記環孔１１を押して前記開口４５を収縮させ、そして前記コンロッド２０と前記固定ブロック１３とは互いに近づき、前記コンロッド２０の中には、上下に貫通し、かつ開口が背向いている貫通溝１７が前後対称的に形成され、前記貫通溝１７の中には回転棒１８が回転可能に設置され、前記回転棒１８の中には連結軸１６が固定的に連結され、前記連結軸１６の左右両端は前記貫通溝１７の左右両側内壁の間に回転可能に連結され、前記固定ブロック１３の中には開口が背向いている三つの引掛り溝４１が前後対称的に形成され、前記引掛り溝４１の下側内壁の中には回収空間４３が連通するように設置され、前記回収空間４３の中には引掛りブロック４０がスライド可能に設置され、前記引掛りブロック４０の上端は前記引掛り溝４１の中に滑り込むことができ、前記引掛りブロック４０の下端と前記回収空間４３の下側内壁との間には電磁ばね４２が固定的に連結され、前記回転棒１８の中には開口が対称中心に向いている引掛り孔３９が設置され、前記回転棒１８は回転して前記引掛り溝４１の中に延在でき、前記引掛りブロック４０を押して下方へスライドさせ、また、前記電磁ばね４２を圧縮し、前記引掛りブロック４０は前記引掛り孔３９と正対する時、前記電磁ばね４２の弾力の作用のもとで前記引掛りブロック４０は押されて前記引掛り孔３９の中に滑り込み、そして前記回転棒１８を固定し、人の腕は比較的に太い場合、前記回転棒１８は最下側の前記引掛り溝４１の中に伸び、この時に前記腕輪１２は緩み状態にあり、人の腕は比較的に細い場合、前記回転棒１８は最上側の前記引掛り溝４１の中に伸び、この時に前記腕輪１２はきつめの状態にある。
【００１５】
有益的には、前記回転棒１８の左右両端と前記貫通溝１７の左右両側内壁との間には捻りばね１９が固定的に連結され、前記捻りばね１９の弾力の作用のもとで前記回転棒１８は回転して前記固定ブロック１３から離脱する。
【００１６】
有益的には、前記固定ブロック１３の中には左方に開口したばね溝２１が形成され、前記ばね溝２１の右側内壁の中には凹溝１５が連通するように形成され、前記ばね溝２１の中には手動ポタン２３がスライド可能に設置され、前記手動ポタン２３の右端は前記凹溝１５の中に延在し、前記手動ポタン２３の右端と前記ばね溝２１の右側内壁との間には圧縮ばね２２が固定的に連結され、前記凹溝１５の右側内壁には導電ブロック１４が固定的に設置され、
始めに、前記手動ポタン２３と前記導電ブロック１４とは接触していなく、前記手動ポタン２３を押し、かつ前記圧縮ばね２２を圧縮し、同時に前記手動ポタン２３と前記導電ブロック１４とは接触するようになり、そして前記電磁ばね４２は通電され、前記引掛りブロック４０は駆動されて前記回収空間４３の中に滑り込み、前記回転棒１８と前記引掛りブロック４０とを離脱させる。
【００１７】
実施例によって、以下に前記按摩装置１０１について詳しく説明し、前記按摩装置１０１はベルト溝２６を含み、前記ベルト溝２６は前記環孔１１の上下両側内壁の中に上下対称的に、且つ連通するように形成され、前記ベルト溝２６の中には二十三個のプーリ３１が回転可能に設置され、前記プーリ３１の間には連結ベルト２８が連結され、最右側の前記プーリ３１の中には駆動軸３０が固定的に連結され、前記ベルト溝２６の後側内壁の中にはモータ４４が固定的に設置され、両側の前記駆動軸３０の後端はそれぞれ両側の前記モータ４４に伝動可能に連結され、他の前記プーリ３１の中には支持軸２９が固定的に連結され、前記支持軸２９の前後両端が前記ベルト溝２６の前後両側内壁に回転可能に連結され、前記連結ベルト２８において対称中心に近接する一端には九つの按摩綿２７が固定的に連結され、
腕が前記環孔１１を通る時、前記按摩綿２７は腕に当接し、前記監視検出ヘッド３７は前記感応スライダ３６が振動し始めることを検知すると、前記モータ４４を作動させ、さらに前記駆動軸３０を通じて最右側の前記プーリ３１を駆動して回転させ、前記連結ベルト２８を通じて他の前記プーリ３１を駆動して回転させ、さらに前記按摩綿２７が腕を按摩し、九つの前記按摩綿２７はちょうど完全に前記ベルト溝２６の中に回転した時、前記モータ４４を逆回転させ、そして前記按摩綿２７に逆方向へ腕を按摩させ、腕の麻痺を避ける。
【００１８】
以下に図１〜５を交えて本文の運動状態での人体血圧に対する監視警報装置の使用手順について詳しく説明する。
【００１９】
始めに、回転棒１８と固定ブロック１３とは連結していなく、監視検出ヘッド３７は感応スライダ３６に正対し、振動棒２５と接触スイッチ３５とは接触していなく、弾性膜３３は自然状態にあり、手動ポタン２３と導電ブロック１４とは接触していない。
【００２０】
使用時、腕が環孔１１を通り、按摩綿２７を腕に当接させ、同時に圧力検出ヘッド２４が腕の脈拍部に当接し、腕の太さによって腕輪１２を押し、そして手動ポタン２３とコンロッド２０とを駆動してスライドさせ、圧力検出ヘッド２４と腕との間の圧力が圧力検出ヘッド２４の設定値に達した時、回転棒１８を回転させ、回転棒１８は引掛り溝４１の中に伸び、引掛りブロック４０を押して下方へスライドさせ、また、電磁ばね４２を圧縮し、引掛りブロック４０は引掛り孔３９に正対する時、電磁ばね４２の弾力の作用のもとで引掛りブロック４０は押されて引掛り孔３９の中に滑り込み、そして回転棒１８を固定し、この時に腕輪１２をしっかりと腕にはめる。
【００２１】
この時に腕の脈拍部の拍動は振動棒２５を押して振動させ、さらに感応スライダ３６を駆動してスライドさせ、そして監視検出ヘッド３７によって感応スライダ３６の振動頻度を測定し、人の心拍数を反映し、同時にモータ４４を作動させ、駆動軸３０を通じて最右側のプーリ３１を駆動して回転させ、連結ベルト２８を通じて他のプーリ３１を駆動して回転させ、さらに按摩綿２７に腕を按摩させ、九つの按摩綿２７はちょうど完全にベルト溝２６の中に回転した時、モータ４４を逆回転させ、そして按摩綿２７に逆方向へ腕を按摩させ、腕の麻痺を避け、同時に振動棒２５はスライドして弾性膜３３を引っ張り、弾性膜３３の弾力によって圧力検出ヘッド２４は終始腕に当接し、振動棒２５が接触スイッチ３５と接触するときに、人の血圧が比較的に高いことを意味し、この時に警報灯３４をつけて警報を発し、これ以上運動しないように注意する。
【００２２】
腕輪１２を外す時、手動ポタン２３を押し、手動ポタン２３は導電ブロック１４と接触し、この時に電磁ばね４２は通電され、さらに引掛りブロック４０は駆動されて回収空間４３の中に滑り込み、引掛りブロック４０と回転棒１８とは連結状態から離脱し、回転棒１８は捻りばね１９の弾力によって回転し、且つ固定ブロック１３との連結状態から離脱し、この時に腕輪１２は緩んで外されることができ、圧縮ばね２２の弾力によって手動ポタン２３は押されてスライドして導電ブロック１４から離脱し、この時に本願装置は初期状態に戻る。
【００２３】
本願発明の有益効果は：本願発明は運動時に直接手にはめられ、腕のサイズによって調節を行い、腕輪と腕との間に一定の圧力を保ち、また、リアルタイムに人の血圧と心拍数とを監視でき、同時に腕に対してマッサージをし、腕輪と腕とが長時間押し合うことによる麻痺を避ける。
【００２４】
以上の方式により、本分野の技術者が本発明の範囲内に作動モードにより各種な変化をすることができる。
【要約】
【課題】本願発明は運動状態での人体血圧に対する監視警報装置を開示した。
【解決手段】
腕輪を含み、前記腕輪の中には環孔が前後貫通するように設置され、前記腕輪は弾性を有し、前記腕輪の中の左側には開口が設置され、使用時に腕は前記環孔を通って前記腕輪を腕にはめ、前記腕輪の左端には調節装置が連結され、前記調節装置で前記腕輪と腕との間の圧力を調節でき、前記腕輪の右端には監視装置が連結され、前記監視装置は前記腕輪と腕との間の圧力ならびに人体の心拍数及び血圧を監視でき、本願発明は運動時に直接手にはめられ、腕のサイズによって調節を行い、腕輪と腕との間に一定の圧力を保ち、また、リアルタイムに人の血圧と心拍数とを監視でき、同時に腕に対してマッサージをし、腕輪と腕とが長時間押し合うことによる麻痺を避ける。
【選択図】図１【図１】
0006807503.tif 000002
【図２】
0006807503.tif 000003
【図３】
0006807503.tif 000004
【図４】
0006807503.tif 000005
【図５】
0006807503.tif 000006